(57)【要約】【課題】成型することで郵便物内に送付物を収納でき，郵便物内に収納された送付物による跡（ふくらみ）を目立たないようできる郵便物成型シートを提供する。【解決手段】郵便物成型シート１は、郵便の定型又は定型外サイズ（例えば，ハガキサイズ）の３つのシート片１０，１１，１２から構成される外三つ折り加工用のシートで，シート片１０，１１，１２はそれぞれ折線１３を介して連結され，外三つ折りすることで，シート片１０及びシート片１２で挟まれるシート片１１には，試供品などを収納するための打ち抜き孔部１１０が設けられている。【選択図】図１
2011207488.tif 000002
【特許請求の範囲】
【請求項１】
郵便物の成型に利用され，３つのシート片から構成される郵便物成型シートであって，前記郵便物に成型されたとき２つの前記シート片に挟まれる前記シート片に送付物を収める打ち抜き孔部を設けていることを特徴とする郵便物成型シート。
【請求項２】
３つの前記シート片が折線を介して連結された三つ折り加工用のシートであることを特徴とする，請求項１に記載の郵便物成型シート。
【請求項３】
３つのシート片から構成され，成型されたとき２つの前記シート片に挟まれる前記シート片に送付物を収めるための打ち抜き孔部が設けられている郵便物成型シートから成型される郵便物であって，重ね合わされた前記シート片が再剥離接着材によって接着され，前記打ち抜き孔部に収納された前記送付物が，前記打ち抜き孔部が設けられていない前記シート片に再剥離接着材によって貼り付けられていることを特徴とする郵便物。
【請求項４】
前記郵便物成型シートは，３つの前記シート片が折線を介して連結された三つ折り加工用のシートであって，三つ折り加工によって前記シート片が重ね合わせられていることを特徴とする郵便物。
【請求項５】
請求項１又は請求項２に記載の郵便物成型シートの成形方法であって，再剥離型接着材を用いて，前記打ち抜き孔部が設けられた前記シート片とこれ以外の一つの前記シート片を貼り合わせ，前記打ち抜き孔部を介して送付物を該シート片の接着面に貼り付けた後，再剥離型接着材を用い残りの前記シート片と貼り合わせることで郵便物の形状に成形することを特徴とする郵便物成型シートの成形方法。
【発明の詳細な説明】
【技術分野】
【０００１】
本発明は，ダイレクトメールなどの郵便物を成型するときに用いる成型シートに係わる発明である。
【背景技術】
【０００２】
商品やサービスなどを消費者に伝える広告手法とて電子メールが利用されることも増えているが，従来からあるダイレクトメールに対する要望も高く，情報しか伝えることのできない電子メールに対して，ダイレクトメールには，例えば，試供品や景品などの物を送付できるメリットがダイレクトメールにある。
【０００３】
ダイレクトメールを送付するときは郵送料の観点からして，葉書や封筒などの定型郵便物で送付できることが望ましく，葉書の送付料金で試供品や景品などの送付物を送付できる送付物内包葉書が既に特許文献１で開示されている。
【０００４】
しかし，特許文献１で開示されている発明では，長方形のシートを中央で折り返して圧着するときに，試供品や景品などの送付物を長方形のシートで挟んで内包するため，長方形のシートを中央で折り返して圧着することで成型された後に，長方形のシートで挟まれた送付物内包葉書の跡（ふくらみ）が目立ってしまう問題があった。
【先行技術文献】
【特許文献】
【０００５】
【特許文献１】特開２００９-２５５３６０号公報
【発明の概要】
【発明が解決しようとする課題】
【０００６】
そこで，本発明は，成型することで郵便物内に送付物を収納でき，郵便物内に収納された送付物による跡（ふくらみ）を目立たないようできる郵便物成型シート，郵便物成型シートから成型される郵便物，及び，郵便物成型シートの成型方法を提供することを目的とする。
【課題を解決するための手段】
【０００７】
上述した課題を解決する第１の発明は，郵便物の成型に利用され，３つのシート片から構成される郵便物成型シートであって，前記郵便物に成型されたとき２つの前記シート片に挟まれる前記シート片に送付物を収める打ち抜き孔部を設けていることを特徴とする郵便物成型シートである。
【０００８】
第１の発明の前記郵便物成型シートに含まれる前記シート片同士を接着して前記郵便物を成型するときに，２つの前記シート片に挟まれる前記シート片に設けられた前記打ち抜き孔部に前記送付物を収納させることで，前記送付物の厚みをこの前記シート片の厚みで吸収できるため，前記郵便物成型シートを成型した前記郵便物に収納する前記送付物の跡（ふくらみ）を目立たなくすることができるようになる。また，前記送付物の厚みをこの前記シート片の厚みで吸収できるため，前記郵便物成型シートを成型する際，過度の圧力が前記送付物にかかることはなく，成型によって前記送付物が破損することも防止できる効果が得られる。
【０００９】
また，第１の発明の郵便物成型シートを，３つの前記シート片が折線を介して連結された三つ折り加工用のシートとすることで，三つ折り加工により前記郵便物を成型することができるようになる。例えば，前記打ち抜き孔部が設けられた前記シート片を中央に配置すれば，三つ折り加工の一つである外三つ折り（Z折り）で前記郵便物を成型することができる。また，前記打ち抜き孔部が設けられた前記シート片を端に配置すれば，三つ折り加工の一つである巻き三つ折りで前記郵便物を成型することができる。
【００１０】
更に，第２の発明は，３つのシート片から構成され，成型されたとき２つの前記シート片に挟まれる前記シート片に送付物を収めるための打ち抜き孔部が設けられている郵便物成型シートから成型される郵便物であって，重ね合わされた前記シート片が再剥離接着材によって接着され，前記打ち抜き孔部に収納された前記送付物が，前記打ち抜き孔部が設けられていない前記シート片に再剥離接着材によって貼り付けられていることを特徴とする郵便物である。
【００１１】
また，前記郵便物成型シートを，３つの前記シート片が折線を介して連結された三つ折り加工用のシートとすれば，三つ折り加工によって前記シート片を重ね合わせて前記郵便物を成型することができる。
【００１２】
更に，第３の発明は，第１の発明に記載の郵便物成型シートの成形方法であって，再剥離型接着材を用いて，前記打ち抜き孔部が設けられた前記シート片とこれ以外の一つの前記シート片を貼り合わせ，前記打ち抜き孔部を介して送付物を該シート片の接着面に貼り付けた後，再剥離型接着材を用い残りの前記シート片と貼り合わせることで郵便物の形状に成形することを特徴とする郵便物成型シートの成形方法である。
【００１３】
第２の発明及び第３の発明によれば，第１の発明と同様の効果を得ることができる。なお，前記シート片の接着に再剥離接着材を用いることで，前記郵便物成型シートを成型した前記郵便物を開封し易くすることができる。
【発明の効果】
【００１４】
このように，本発明によれば，成型することで郵便物内に送付物を収納でき，郵便物内に収納された送付物による跡（ふくらみ）を目立たないようできる郵便物成型シート，郵便物，及び，郵便物成型シートの郵便物成型方法を提供できる。
【図面の簡単な説明】
【００１５】
【図１】本実施形態の郵便物成型シートを説明する図。
【図２】本実施形態の郵便物成型シートを成型する手順を説明する図。
【図３】本実施形態の郵便物成型シートから成型される郵便物を説明する図。
【図４】変形例１の郵便物成型シートを説明する図。
【図５】変形例１の郵便物成型シートを成型する手順を説明する図。
【図６】変形例２の郵便物成型シートを説明する図。
【図７】変形例２の郵便物成型シートを成型する手順を説明する図。
【発明を実施するための形態】
【００１６】
ここから，本願発明の実施形態について，本願発明の技術分野に係わる当業者が，本願発明の内容を理解し，本願発明を実施できる程度に説明する。図１は、本実施形態の郵便物成型シート１を説明する図で，図１（ａ）は，郵便物成型シート１の裏面で，図１（ｂ）は，郵便物成型シート１の表面である。
【００１７】
図１で図示した郵便物成型シート１は、好ましくは，郵便の定型又は定型外サイズ（例えば，ハガキサイズ）の３つのシート片１０，１１，１２から構成される三つ折り加工（ここでは，外三つ折り）用のシートで，シート片１０，１１，１２はそれぞれ折線１３を介して連結されている。
【００１８】
図１で図示した郵便物成型シート１を外三つ折りすることで，郵便物成型シート１の中央に配置されるシート片１１は，シート片１０及びシート片１２で挟まれるため，本実施形態では，試供品などを収納するための打ち抜き孔部１１０が設けられている。
【００１９】
また，シート片１０の表面には，郵便番号枠や別納料金の図柄１０ａが印字され，郵便物成型シート１を成型するときに，シート片１０の裏面には再剥離型接着材（例えば，微球タイプ混入の粘着剤や、硬化剤を添加した粘着剤）が塗布される。更に，シート片１２の裏面は広告などが印刷されるスペースで，郵便物成型シート１を成型するときに，シート片１２の表面には再剥離型接着材が塗布される。
【００２０】
図１で図示した郵便物成型シート１のシート材としては，薄手のダンボール紙などを利用することができ，シート材の厚みは郵便の定型又は定型外サイズに合わせて決定するとよい。例えば，葉書用の郵便物成型シート１の場合，葉書の定型サイズの厚みは１ｃｍ以下であるため，シート材を３つ重ね合わせた厚みが１ｃｍ以下になるように決定される。
【００２１】
図２は，本実施形態の郵便物成型シート１を成型する手順を説明する図である。郵便物成型シート１から郵便物３を成型するときは、まず、図２（ａ）に図示したように、郵便物成型シート１の裏面を表に向け、シート片１２の表面に再剥離型接着材を塗布した後，図２（ｂ）に図示したように、折線１３に沿って折り、再剥離型接着材を塗布したシート片１２の表面と打ち抜き孔部１１０が設けられたシート片１１の表面が重なり合うように折り畳み、図２（ｃ）で図示したように，シート片１１とシート片１２を圧着させる。
【００２２】
そして，シート片１１とシート片１２を圧着させた状態で，シート片１１に設けられた打ち抜き孔部１１０を介してシート片１２の接着面に送付物２（例えば，試供品）を貼り付けた後，シート片１０の裏面に再剥離型接着材を塗布し，図２（ｄ）に図示したように、折線１３に沿って折り、再剥離型接着材を塗布したシート片１０の裏面と打ち抜き孔部１１０が設けられたシート片１１の裏面が重なり合うように折り畳み、図２（ｅ）で図示したように，シート片１０とシート片１２でシート片１１が挟み込まれた状態の郵便物３を成型する。
【００２３】
図３は，本実施形態の郵便物成型シート１から成型される郵便物３を説明する図で，図３（ａ）は郵便物３の外観図で，図３（ｂ）は郵便物３の地点Ａ〜地点Ｂの断面図である。
【００２４】
これまで説明したように，図１で図示した郵便物成型シート１は外三つ折りされることで，図３（ａ）で図示したような，シート片１０，１１，１２が圧着されて一体化した郵便物３に成型される。図３（ｂ）で図示したように，シート片１１の打ち抜き孔部１１０に送付物２を収納させることで，送付物２の厚みの少なくとも一部をシート片１１の厚みで吸収できるため，郵便物成型シート１を外三つ折りして成型された郵便物３において送付物２の跡（ふくらみ）を目立たなくすることができる。また，送付物２の厚みの少なくとも一部をシート片１１の厚みで吸収できれば，郵便物成型シート１を外三つ折りする際，過度の圧力が送付物２にかかることはなく，外三つ折りするときに送付物３が破損することを防止できる。
【００２５】
なお、本発明は、これまで説明した実施の形態に限定されることなく、種々の変形や変更が可能である。
【００２６】
（変形例１）
上述した実施形態は，外三つ折り用の郵便物成型シート１について説明したが，巻き三つ折りに対応させることもできる。図４は、変形例１の郵便物成型シート４を説明する図で，図４（ａ）は，郵便物成型シート４の裏面で，図４（ｂ）は，郵便物成型シート４の表面である。
【００２７】
図４で図示した郵便物成型シート４は、郵便の定型サイズ（例えば，ハガキサイズ）の３つのシート片４０，４１，４２から構成される三つ折り加工（ここでは，巻き三つ折り）用のシートで，シート片４０，４１，４２それぞれは折線４３を介して連結されている。
【００２８】
変形例１では，図４で図示した郵便物成型シート４を巻き三つ折りすることで，郵便物成型シート１を裏側から見たときに左端に配置されるシート片４０は，シート４１片及びシート片４２で挟まれるため，例えば，試供品を収納するための打ち抜き孔部４００が設けられている。
【００２９】
また，シート片４２の表面には，郵便番号枠や別納料金の図柄４２ａが印字され，巻き三つ折りするときに，シート片４２の裏面には再剥離型接着材（例えば，微球タイプ混入の粘着剤や、硬化剤を添加した粘着剤）が塗布される。更に，シート片４１の表面は広告などが印刷されるスペースで，巻き三つ折りするときに，シート片４１の裏面には再剥離型接着材が塗布される。
【００３０】
図５は，変形例１の郵便物成型シート４を成型する手順を説明する図である。図５は，郵便物成型シート４から郵便物５を成型するときは、まず、図５（ａ）に図示したように、郵便物成型シート４の裏面を表に向け、シート片４１及び４２の裏面に再剥離型接着材を塗布した後，図５（ｂ）に図示したように、折線４３に沿って折り、再剥離型接着材を塗布したシート片４１の裏面と打ち抜き孔部４００が設けられたシート片４０の裏面が重なり合うように折り畳み、図５（ｃ）で図示したように，シート片４０とシート片４１を圧着させる。
【００３１】
そして，シート片４０とシート片４１を圧着させた状態で，シート片４０に設けられた打ち抜き孔部４００に該当するシート片４１の接着面に送付物２（例えば，試供品）を貼り付けた後，図５（ｄ）に図示したように、折線１３に沿って折り、再剥離型接着材を塗布したシート片４２の裏面と打ち抜き孔部４００が設けられたシート片４０の表面が重なり合うように折り畳み、図５（ｅ）で図示したように，シート片４１とシート片４２でシート片４０が挟み込まれた状態の郵便物５を成型する。
【００３２】
（変形例２）
これまでは，複数のシート片を折り返すことで郵便物を成型する郵便物成型シートについて説明したが，複数のシート片を積層させる郵便物を成型するようにすることもできる。図６は、変形例２の郵便物成型シート６を説明する図で，図６（ａ）は，郵便物成型シート６の裏面で，図６（ｂ）は，郵便物成型シート６の表面である。
【００３３】
図６で図示した郵便物成型シート６は、複数のシート片を積層させる郵便物を成型するためのシートで，郵便の定型サイズ（例えば，ハガキサイズ）の三つのシート片６０，６１，６２で構成されている。
【００３４】
郵便物成型シート６のシート片６１は，郵便物成型シート６が成型されたときに，シート片６０及びシート片６２間に積層されるため，変形例２では，例えば，試供品を収納するための打ち抜き孔部６１０が設けられている。
【００３５】
また，シート片６０の表面には，郵便番号枠や別納料金の図柄６０ａが印字され，積層するときに，シート片６０の裏面には再剥離型接着材（例えば，微球タイプ混入の粘着剤や、硬化剤を添加した粘着剤）が塗布される。更に，シート片６２の表面は広告などが印刷されるスペースになり，積層するときに，シート片６２の裏面には再剥離型接着材が塗布される。
【００３６】
図７は，変形例２の郵便物成型シート６を成型する手順を説明する図である。図７は，郵便物成型シート６から郵便物７を成型するときは、まず、図７（ａ）に図示したように、郵便物成型シート６の裏面を表に向け、シート片６０及びシート片６２の裏面に再剥離型接着材を塗布した後，図７（ｂ）に図示したように、再剥離型接着材を塗布したシート片６２の裏面と打ち抜き孔部６１０が設けられたシート片６１の表面が重なり合うように重ね合わせ、図７（ｃ）で図示したように，シート片６０とシート片６２を圧着させる。
【００３７】
そして，シート片６０とシート片６２を圧着させた状態で，シート片６１に設けられた打ち抜き孔部６１０に該当するシート片６２の接着面に送付物２（例えば，試供品）を貼り付けた後，図７（ｄ）に図示したように、再剥離型接着材を塗布したシート片６０の裏面と打ち抜き孔部６１０が設けられたシート片６１の裏面が重なり合うように重ね合わせ、図７（ｅ）で図示したように，シート片６０とシート片６２でシート片６１が挟み込まれた状態の郵便物７を成型する。
【符号の説明】
【００３８】
１，４，６    郵便物成型シート
１０，１１，１２，４０，４１，４２，６０，６１，６２  シート片
１１０，４１０，６１０    打ち抜き孔部
２    送付物
３，５，７    郵便物
【図１】
2011207488.tif 000003
【図２】
2011207488.tif 000004
【図３】
2011207488.tif 000005
【図４】
2011207488.tif 000006
【図５】
2011207488.tif 000007
【図６】
2011207488.tif 000008
【図７】
2011207488.tif 000009